(57)【特許請求の範囲】
【請求項１】
ＤＨＣＰクライアントの機能を提供しない又はＤＨＣＰクライアントの機能を提供できない端末デバイスが、ダイアルアップするとともに、ネットワークデータサービスの実行が必要な時に、前記端末デバイスのネットワークドライバーインターフェイススタンダード（ＮＤＩＳ）ドライバーレイヤーにより、ネットワーク設定情報を問い合わせるために、ネットワーク設定情報問い合わせメッセージを無線モデムへ伝達するステップと、
前記ＮＤＩＳドライバーレイヤーにより、前記無線モデムから返されたネットワーク設定情報を取得するステップと、
前記取得したネットワーク設定情報を前記端末デバイスのアプリケーションレイヤーに提供するステップと、
を備え、
前記ネットワーク設定情報はＩＰアドレス情報及びゲートウェイ情報を含むネットワーク設定情報取得のための方法。
【請求項２】
前記ネットワーク設定情報問い合わせメッセージは、モデムコマンド言語を用いることによって、ＮＤＩＳポートを介して前記無線モデムへ伝達される請求項１に記載の方法。
【請求項３】
前記ネットワーク設定情報問い合わせメッセージは、モデムコマンド言語を用いることによって、シリアルポートを介して前記無線モデムへ伝達される請求項１に記載の方法。
【請求項４】
前記ネットワーク設定情報問い合わせメッセージは、ＮＤＩＳコマンド言語を用いることによって、ＮＤＩＳポートを介して前記無線モデムへ伝達される請求項１に記載の方法。
【請求項５】
前記取得したネットワーク設定情報を、前記端末デバイスのアプリケーションレイヤーに提供した後、
前記端末デバイスのアプリケーションレイヤーによって、前記取得したネットワーク設定情報を用いることによって、ネットワークアドレス設定を完了するステップ
をさらに備える請求項１ないし４のいずれか一項に記載の方法。
【請求項６】
前記端末デバイスが無線ＷＡＮアプリケーションプログラミングインターフェイスを呼出した場合、前記無線モデムは無線ＷＡＮデバイスである請求項１ないし５のいずれか一項に記載の方法。
【請求項７】
ＤＨＣＰクライアントの機能を提供しない又はＤＨＣＰクライアントの機能を提供できない端末デバイスのネットワークドライバーインターフェイススタンダード（ＮＤＩＳ）ドライバーレイヤーに配置され、かつ、前記端末デバイスがダイアルアップするとともに、ネットワークデータサービスの実行が必要な時に、ネットワーク設定情報を問い合わせるためにネットワーク設定情報問い合わせメッセージを無線モデムに伝達するように構成されたメッセージ伝達ユニットと、
前記端末デバイスのネットワークドライバーインターフェイススタンダード（ＮＤＩＳ）ドライバーレイヤーに配置され、かつ、前記無線モデムによって返されたネットワーク設定情報を取得するように構成され、かつ、前記取得したネットワーク設定情報を、前記端末デバイスのアプリケーションレイヤーに提供する情報取得ユニットと、
を備え、
前記ネットワーク設定情報はＩＰアドレス情報及びゲートウェイ情報を含むネットワーク設定情報取得のための装置。
【請求項８】
前記メッセージ伝達ユニットは、
モデムコマンド言語を用いることによって、前記ネットワーク設定情報問い合わせメッセージをＮＤＩＳポートを介して、前記無線モデムへ伝達するように構成される第一の伝達モジュール、
モデムコマンド言語を用いることによって、前記ネットワーク設定情報問い合わせメッセージをシリアルポートを介して、前記無線モデムへ伝達するように構成される第二の伝達モジュール、及び
ＮＤＩＳコマンド言語を用いることによって、前記ネットワーク設定情報問い合わせメッセージをＮＤＩＳポートを介して、前記無線モデムへ伝達するように構成される第三の伝達モジュール、
の内、少なくとも一つのモジュールを備える請求項７に記載の装置。
【請求項９】
前記端末デバイスのアプリケーションレイヤーに配置され、かつ、前記取得したネットワーク設定情報を用いることによって、ネットワークアドレス設定を完了するように構成されるアドレス設定ユニット
をさらに備える請求項７又は８に記載の装置。
【請求項１０】
前記装置が前記端末デバイス内に配置される請求項９に記載の装置。
【発明の詳細な説明】
【技術分野】
【０００１】
本発明はネットワークコミュニケーション分野、特にネットワーク設定情報取得のための方法、及び装置に関する。
【０００２】
本出願は、中国特許庁へ２００９年８月２０日に出願された“METHOD AND APPARATUS FOR ACQUIRING NETWORK CONFIGURATION INFORMATION”中国特許庁出願番号200910091040.0へ優先権を主張する。前記出願を引用することにより、その全てが本明細書に組み込まれる。
【背景技術】
【０００３】
近年、端末デバイスがネットワークデータサービスを実行する場合、ダイアルアップパケットデータプロトコル(PDP, Packet Data Protocol)コンテキストがアクティベートされた後、つまり、データサービス接続が設定された後、端末デバイスは対応するネットワーク設定情報、つまりＩＰアドレス、ゲートウェイ情報を取得する必要がある。ついで、前記端末デバイスはＩＰアドレスを設定して、ダイアルアップを成功する。このことはネットワークデータサービス実行を保証する。前記端末デバイスはパーソナルコンピュータ(PC)、その他全てのコンピューター処理を行う装置で有り得る。
【０００４】
従来技術では、静的ネットワーク設定情報を手動で行うか、または、ネットワーク設定情報を動的に取得することができた。従来技術では、前記ネットワーク設定情報は動的に、動的ホスト設定プロトコルクライアント(DHCP Client, Dynamic Host Configuration Protocol Client)を介して取得される。図１は、ネットワーク設定情報が従来技術でのＤＨＣＰクライアントを介して、動的に取得される信号交換のブロック図を示している。図１が示すように、端末デバイスがダイアルアップ制御を初期化した後、端末デバイス上のＤＨＣＰはモデム(modem)との接続を設定する。前記モデムはネットワークへのアクティベートＰＤＰリクエスト(つまり、データサービス発呼)を初期化する。ネットワークが無事に応答をした後(つまり、データサービス発呼が無事に設定された後)、前記ネットワークは、対応するネットワーク設定情報、つまり、ＩＰアドレスとゲートウェイ情報をモデムへ返却する。；端末デバイスがＡＣＫシグナルをモデムから受け取った後、ＤＨＣＰクライアントはモデムへＤＨＣＰ問い合わせリクエスト(query request)を伝達する。モデムは、ネットワークによって割り当てられたネットワーク設定情報を端末デバイスへ返信する。端末デバイスが、受信したネットワーク設定情報が正しく、かつ利用可能であることを確認したとき、前記端末デバイスはＩＰアドレスを正しく設定する。ダイアルアッププロセスが完了すると、前記端末デバイスは対応するネットワークデータサービスの実行が開始可能となる。
【発明の概要】
【発明が解決しようとする課題】
【０００５】
従来技術での課題解決手法では、端末デバイスがＤＨＣＰクライアント機能を提供することが可能だという基礎のもとに、ネットワーク設定情報取得の前記解決手法が実行されている。もし、端末デバイスがＤＨＣＰクライアント機能を提供が不可能、もしくは対応するＤＨＣＰクライアント機能の提供ができない場合は、前記端末デバイスはうまくダイアルアップすることができず、せいぜい接続を設定することしかできない。これによって、端末デバイスはオンラインでのネットワークデータサービス実行ができず、端末デバイス上の通常サービスに影響を及ぼす。
【課題を解決するための手段】
【０００６】
本発明の構成は、端末デバイスがＤＨＣＰクライアント機能を提供しない場合でも、端末デバイスが無事にダイアルアップを実行できるよう、効果的なネットワーク設定情報の取得を可能にする目的で、ネットワーク設定情報取得のための方法、及び装置を提供する。加えて、端末デバイスがオンラインでネットワークデータサービスを実行可能である。これは端末デバイス上で通常のサービスが実行されることを保証する。
【０００７】
本発明の一構成では、ネットワーク設定情報取得の方法を提供し、これは以下の方法を備える。：
端末デバイスがダイアルアップし、ネットワークデータサービスを実行する必要がある場合、前記端末デバイスのネットワークドライバーインターフェイススタンダード(Network Driver Interface Standard, NDIS)ドライバーレイヤーによって、ネットワーク設定情報問い合わせメッセージを無線モデムへ伝達するステップ。
前記ＮＤＩＳドライバーによって、前記無線モデムから返されたネットワーク設定情報を取得し、かつ、取得したネットワーク設定情報を端末デバイスのアプリケーションレイヤーに提供するステップ。
【０００８】
本発明の一構成は、ネットワーク設定情報取得のための装置を提供し、これは以下備える。
端末デバイスのネットワークドライバーインターフェイススタンダードＮＤＩＳドライバーレイヤーに配置され、かつ、端末デバイスがダイアルアップし、ネットワークデータサービスの実行が必要な時に、無線モデムへネットワーク設定情報問い合わせメッセージを伝達するように設定されるメッセージ伝達ユニット。
端末デバイスのネットワークドライバーインターフェイススタンダードＮＤＩＳドライバーレイヤーに配置され、かつ、無線モデムより返されたネットワーク設定情報を取得し、取得したネットワーク設定情報を端末デバイスのアプリケーションレイヤーに提供するように設定された情報取得ユニット。
【０００９】
上記の技術的な解決手法によれば、端末デバイスがダイアルアップし、データサービスを実行する必要がある場合でも、前記端末デバイスのネットワークドライバーインターフェイススタンダード(Network Driver Interface Standard, NDIS)ドライバーレイヤーがネットワーク設定情報問い合わせメッセージを無線モデムへ伝達することができる。前記ＮＤＩＳドライバーレイヤーは無線モデムより返されたネットワーク設定情報を取得し、かつ、取得したネットワーク設定情報を、端末デバイスのアプリケーションレイヤーに提供する。このようにして、端末デバイスがＤＨＣＰクライアント機能を提供しない場合でも、端末デバイスは効率的に、ダイアルアップを無事に実行するために必要とされるネットワーク設定情報を取得することができる。さらに、端末デバイスはオンラインでのネットワークデータサービスを実行することができる。これは端末デバイス上での通常のサービスの実行を保証する。
【図面の簡単な説明】
【００１０】
【図１】従来技術での、ネットワーク設定情報をＤＣＨＰクライアントを介して動的に取得する信号交換のブロック図である。
【図２】本発明実施形態１に基づく方法のフローチャートである。
【図３】本発明実施形態２に基づく、具体例での信号交換のブロック図である。
【図４】本発明実施形態３に基づく、別の具体例での信号交換のブロック図である。
【図５】本発明実施形態４に基づく、別の具体例での信号交換のブロック図である。
【図６】本発明実施形態５に基づく、装置の構造を示す図である。
【発明を実施するための形態】
【００１１】
本発明の実施形態はネットワーク設定情報取得のための方法、及び装置を提供する。端末デバイスがＤＨＣＰクライアントの機能を提供しないときで、もし、端末デバイスがネットワークサービスを実行するためにダイアルアップをする必要がある場合でも、端末デバイスのＮＤＩＳドライバーレイヤーがネットワーク設定情報問い合わせコマンドを無線モデムへ伝達することができる。ここでネットワーク設定情報とは、例えばＩＰアドレス、ゲートウェイ設定情報で有り得る。；前記問い合わせコマンドを無線モデムが受信した後に、無線モデムは、問い合わせコマンドに基づいて、対応するネットワーク設定情報を、端末デバイスのＮＤＩＳドライバーレイヤーへ返すことが可能である。；端末デバイスは、端末デバイス上での通常のサービスを実行することができることを保証するために、取得したネットワーク設定情報に基づいて対応するＩＰアドレス、及びゲートウェイの設定を完了し、無事にダイアルアップを実行する。
【００１２】
実施形態１
より本発明の実施形態を説明するために、本発明の具体的な実施形態が添付の図を参照して説明される。図２は本発明の実施形態１に基づく方法のフローチャートである。この方法は以下のステップを備える。
【００１３】
ステップ２１：無線モデムへのネットワーク設定情報問い合わせメッセージの送信
【００１４】
ステップ２１では、端末デバイスがダイアルアップをして、ネットワークデータサービスの実行が必要になるとき、前記端末デバイスのネットワークドライバーインターフェイススタンダードＮＤＩＳドライバーレイヤーは、ネットワーク設定情報問い合わせメッセージを無線モデムへ伝達することが可能である。
【００１５】
具体的な実行処理は以下のようである。まず、端末デバイスがダイアルアップをするとき、端末デバイスは無線モデムとの接続を設定する。無線モデムはアクティベートＰＤＰリクエストをネットワークへ送信することが可能である。アクティベートを無事に行った後、ネットワークは対応するネットワーク設定情報を前記無線モデムへ返す。前記無線モデムは対応するＡＣＫシグナルを端末デバイスへ再度返す。この時、端末デバイスのネットワークドライバーインターフェイススタンダードＮＤＩＳドライバーレイヤーはネットワーク設定情報問い合わせメッセージを無線モデムへ伝達することができる。
【００１６】
ネットワーク設定情報問い合わせメッセージは、モデムコマンド言語（つまり、ＡＴコマンド）を用いることによって、無線モデムへＮＤＩＳポートを介して伝達するか、あるいは、モデムコマンド言語を用いることによって、無線モデムへシリアルポートを介して伝達するか、あるいは、ＮＤＩＳコマンド言語（つまり、カスタマイズコマンド）を用いることによって、無線モデムへＮＤＩＳポートを介して伝達することが可能である。
【００１７】
ステップ２２：無線モデムから返されたネットワーク設定情報の取得
【００１８】
ステップ２２では、前記無線モデムが、ＮＤＩＳドライバーレイヤーから送信されたネットワーク設定情報問い合わせメッセージを受信した後、無線モデムはＮＤＩＳドライバーレイヤーへ、ネットワークから無線モデムによって得られたネットワーク設定情報を送信することが可能である。このようにして、端末デバイス内のＮＤＩＳドライバーレイヤーは無線モデムによって返されたネットワーク設定情報を取得することができる。
【００１９】
具体的な実行処理は以下のようである。無線モデムがネットワーク設定情報をＮＤＩＳドライバーレイヤーへ送信する前記方法は、無線モデムが情報問い合わせリクエストを受信する方法に依存する。つまり、モデムコマンド言語を用いることにより、ＮＤＩＳポートを介してネットワーク設定情報問い合わせメッセージが伝達される場合、無線モデムはネットワーク設定情報をＮＤＩＳポートを介して、端末デバイスのＮＤＩＳドライバーレイヤーへ返すことが可能である。もし、モデムコマンド言語を用いることにより、シリアルポートを介して、ネットワーク設定情報問い合わせメッセージが伝達される場合、無線モデムは、シリアルポートを介して、ＮＤＩＳドライバーレイヤーへネットワーク設定情報を伝達することが可能である。もし、ＮＤＩＳコマンド言語を用いることにより、ＮＤＩＳポートを介して、ネットワーク設定情報問い合わせメッセージが伝達される場合、無線モデムはＮＤＩＳポートを介して端末デバイスのＮＤＩＳドライバーレイヤーへネットワーク設定情報を返すことが可能である。
【００２０】
ステップ２３：取得されたネットワーク設定情報を用いた端末デバイスのアプリケーションレイヤーの提供
【００２１】
ステップ２３では、端末デバイスのＮＤＩＳドライバーレイヤーが、無線モデムから返されたネットワーク設定情報を取得した後、次の設定制御を行うために、取得したネットワーク設定情報を端末デバイスのアプリケーションレイヤーに提供することが可能である。
【００２２】
端末デバイスのアプリケーションレイヤーがネットワーク設定情報を受信した後に、取得したネットワーク設定情報を用いることによって、ネットワークアドレスの設定を完了することができ、ネットワークデータサービスを実行するためにダイアルアップを無事に行う。
【００２３】
具体的な実行処理としては、端末デバイスが、無線モデムを制御するために、無線ＷＡＮアプリケーションプログラミングインターフェイス(WWAN API)を呼び出すとき、無線モデムは無線ワイドエリアネットワークデバイス (WWAN device)となることが可能である。
【００２４】
実施形態１において提供される技術的な解決手法の実行を通して、端末デバイスがＤＨＣＰクライアントの機能を提供しないときでも、効率的に端末デバイスが、うまくダイアルアップを実行するために、必要とされるネットワーク設定情報を取得することが可能であり、かつ、端末デバイス上において通常のサービスを実行可能であることを保証するたよう、ネットワークデータサービスを実行することが可能である。
【００２５】
実施形態２
図３は、本発明の実施形態２に基づく、具体例での信号交換のブロック図である。図３が示すように、端末デバイスが、無線ワイドエリアネットワークアプリケーションプログラミングインターフェイス(WWAN API, Wireless Wide Area Network Application Programming Interface)を呼出す時に、このＡＰＩは無線ワイドエリアネットワークサービスインターフェイス(WWAN Service Interface)を呼出し、かつ、端末デバイスがオブジェクト識別子(OID, Object Identifier)シグナルをドライバーレイヤーへ伝達する。前記ドライバーレイヤー(WWAN miniport drivers)は、上位レイヤーから伝達される異なるＯＩＤシグナルに基づいて、１つまたは２つ以上のモデムコマンド（ＡＴコマンド）を通して、実行のためにＯＩＤシグナルによって要求された機能を実行する。例えば、ダイアルアップＯＩＤは、ドライバーレイヤーにおいてＡＴＤダイアルアップＡＴコマンドへ変換可能で、ドライバーレイヤーはＮＤＩＳポートを介して、ＡＴコマンドを無線ＷＡＮデバイス(WWAN device)へ伝達する。これは、端末デバイスと無線ＷＡＮデバイスとの間の信号交換を実行するためである。ここで、前記無線ＷＡＮデバイスは実施形態１で提供された方法での、無線モデムに相当する。
【００２６】
そして、ＰＤＰがアクティベートされた後（つまり、データサービス接続が設定された後）、前記ドライバーレイヤー(WWAN miniport drivers)は無線ＷＡＮデバイス(WWAN device)から送られたＡＣＫシグナルを受信する。ドライバーレイヤーはネットワーク設定情報取得リクエストを、ＡＴコマンドを用いることにより、ＮＤＩＳポートを介して、ＷＷＡＮデバイスへ伝達することができる。無線ＷＡＮデバイスはＡＴコマンドの処理結果を、ＮＤＩＳポートを介して、ドライバーレイヤー(WWAN miniport drivers)に返す。ドライバーレイヤーは、ネットワークアドレスの設定を完了するために、返されたネットワーク設定情報を端末デバイスのアプリケーションレイヤーに提供する。
【００２７】
実施形態２において提供される技術的な解決手法の実行を通して、端末デバイスがＤＨＣＰクライアントの機能を提供しないときであっても、効率的に端末デバイスはうまくダイアルアップを実行するために、必要とされるネットワーク設定情報を取得することが可能であり、かつ、端末デバイス上において通常のサービスが実行可能であることを保証するよう、ネットワークデータサービスを実行することが可能である。加えて、前記メッセージ交換はＡＴコマンドとＮＤＩＳポートを用いることでフレキシブルに完了され、ポート資源をセーブし、情報転送を促進するために、ＡＴコマンドは特別なポートを加えることなく送信することができる。
【００２８】
実施形態３
図４は、本発明の実施形態３に基づく、別の具体例での信号交換のブロック図である。図４が示すように、端末デバイスのドライバーレイヤーは、端末デバイスと無線ＷＡＮデバイス(WWAN device)との間の信号交換を完了するために、ネットワーク設定情報問い合わせメッセージをシリアルポートを介して、無線ＷＡＮデバイス(WWAN device)へ送信する。ＰＤＰがアクティベートされた後に、もしドライバーレイヤーが無線ＷＡＮデバイスから送られたＡＣＫシグナルを受信した場合、ドライバーレイヤーは動的にネットワーク設定情報取得リクエストを伝達する。ここで、ネットワーク設定情報取得リクエストは、ＡＴコマンドを用いることにより、シリアルポートを介して無線ＷＡＮデバイス(WWAN device)へ送られる。無線ＷＡＮデバイスはＡＴコマンドの処理結果をシリアルポートを介して、ドライバーレイヤーへ返すことが可能である。ドライバーレイヤーは、ネットワークアドレスの設定を完了するために、返されたネットワーク設定情報を、端末デバイスのアプリケーションレイヤーに提供することができる。
【００２９】
この場合も同様に、実施形態３において提供される技術的な解決手法の実行を通して、端末デバイスがＤＨＣＰクライアントの機能を提供しないときであっても、効率的に端末デバイスはうまくダイアルアップを実行するために、必要とされるネットワーク設定情報を取得することが可能であり、かつ、端末デバイス上において通常のサービスを実行可能であることを保証するよう、ネットワークデータサービスを実行することが可能である。加えて、前記メッセージ交換はＡＴコマンドとシリアルポートを用いることでフレキシブルに完了され、ポート資源をセーブし、情報転送を促進するために、ＡＴコマンドは特別なポートを加えることなく送信することができる。
【００３０】
実施形態４
図５は、本発明実施形態４に基づく、別の具体例での信号交換のブロック図である。図５が示すように、端末デバイスのドライバーレイヤーは機能をＮＤＩＳコマンドへ変換する。これは実行のためにＯＩＤシグナルによって要請される。無線ＷＡＮデバイス(WWAN device)はＮＤＩＳに従うデバイスであるため、特別な処理なしに、ＮＤＩＳポートを介してＮＤＩＳコマンドを伝達することができる。このようにして、ＰＤＰがアクティベートされた後、ドライバーレイヤーが無線ＷＡＮデバイスから送られたＡＣＫシグナルを受信した場合は、ドライバーレイヤーはネットワーク設定情報取得リクエストを動的に無線ＷＡＮデバイス(WWAN device)に伝達することができる。ここで、ネットワーク設定情報取得リクエストはＮＤＩＳコマンドを用いることにより、ＮＤＩＳポートを介し無線ＷＡＮデバイスへ伝達される。；無線ＷＡＮデバイス(WWAN device)は、ＮＤＩＳコマンドの処理結果をＮＤＩＳポートを介してドライバーレイヤーに返す。；ドライバーレイヤーは、ネットワークアドレスの設定を完了するために、返されたネットワーク設定情報を端末デバイスのアプリケーションレイヤーに提供する。
【００３１】
この場合も同様に、実施形態４において提供される技術的な解決手法の実行を通して、端末デバイスがＤＨＣＰクライアントの機能を提供しないときであっても、効率的に端末デバイスはうまくダイアルアップを実行するために、必要とされるネットワーク設定情報を取得することが可能であり、かつ、端末デバイス上において通常のサービスを実行可能であることを保証するよう、ネットワークデータサービスを実行することが可能である。加えて、前記メッセージ交換はＮＤＩＳとＮＤＩＳポートを用いることでフレキシブルに完了され、ポート資源をセーブし、情報転送を促進するために、ＡＴコマンドは特別なポートを加えることなく送信することができる。
【００３２】
実施形態５
本発明の実施形態５はネットワーク設定情報取得のための装置を提供する。図６は実施形態５において提供された装置の構造図である。前記装置はメッセージ伝達ユニット６１、及び情報取得ユニット６２を備える。
【００３３】
前記メッセージ伝達ユニット６１は、端末デバイスのネットワークドライバーインターフェイススタンダードＮＤＩＳドライバーレイヤーに配置され、かつ、端末デバイスがダイアルアップし、ネットワークデータサービスの実行が必要な時に、無線モデムへネットワーク設定情報問い合わせメッセージを伝達するように設定される。問い合わせメッセージの特定のモードについては、本発明の実施形態１で提供された方法を参照のこと。
【００３４】
前記情報取得ユニット６２は、端末デバイスのネットワークドライバーインターフェイススタンダードＮＤＩＳドライバーレイヤーに配置され、かつ、無線モデムより返されたネットワーク設定情報を取得し、取得したネットワーク設定情報を端末デバイスのアプリケーションレイヤーに提供するように設定される。
【００３５】
加えて、メッセージ伝達ユニット６１は、以下の、モジュールを備える。
モデムコマンド言語を用いることにより、ネットワーク設定情報問い合わせメッセージをＮＤＩＳポートを介して、無線モデムへ伝達するように構成される第一の伝達モジュール６１１及び／又は、
モデムコマンド言語を用いることにより、ネットワーク設定情報問い合わせメッセージをシリアルポートを介して、無線モデムへ伝達するように構成される第二の伝達モジュール６１２及び／又は、
ＮＤＩＳコマンド言語を用いることにより、ネットワーク設定情報問い合わせメッセージをＮＤＩＳポートを介して、無線モデムへ伝達するように構成される第三の伝達モジュール６１３。
【００３６】
加えて、前記装置はアドレス設定ユニット６３をさらに備える。アドレス設定ユニット６３は端末デバイスのアプリケーションレイヤーに配置され、かつ、取得されたネットワーク設定情報を用いることによって、ネットワークアドレス設定を完了するように構成される。
【００３７】
前記ネットワーク設定情報のための装置は端末デバイス内に配置される。
【００３８】
前記装置の実施形態では、備えられたユニットは機能論理(function logic)についてのみに基づいて分けられていることに注意しなければならない。一方、前記ユニットが対応する機能を実行可能な限り、区分が以上のように限定されることはない。加えて、それぞれの機能ユニットは区別の目的のみによって名づけられており、かつ、特定の名前が本発明の保護範囲を限定することを意図するものではない。
【００３９】
当業者は、前記実施形態で提供された方法のステップの全て、または一部が、関連するハードウェアを指示するプログラムによって実行可能であることを理解すべきである。前記プログラムは、コンピューターで読み取り可能な記憶媒体、例えば、リードオンリメモリ／ランダムアクセスメモリ(ROM/RAM)、磁気ディスク、及びＣＤ−ＲＯＭに保存することができる。
【００４０】
結論として、本発明の実施形態に基づくと、端末デバイスが、ＤＨＣＰクライアントの機能を提供しないときであっても、効率的に端末デバイスはうまくダイアルアップを実行するために、必要とされるネットワーク設定情報を取得することが可能であり、かつ、端末デバイス上において通常のサービスを実行可能であることを保証するよう、ネットワークデータサービスを実行することが可能である。
【００４１】
上記の詳細は本発明の例示的な実施形態に過ぎない。一方、本発明の保護範囲は以上に限定するものではない。当業者によって、本発明が開示した技術範囲から逸脱することなしに、直ちに導き出したどんな改良、または置換も本発明の保護範囲に含まれるべきである。つまり、本発明の保護範囲は添付の特許請求の範囲に基づくものとする。
【符号の説明】
【００４２】
６１  ・・・メッセージ伝達ユニット
６２  ・・・情報取得ユニット
６３  ・・・アドレス設定ユニット
６１１・・・第一の伝達モジュール
６１２・・・第二の伝達モジュール
６１３・・・第三の伝達モジュール
【図１】
0005403302.tif 000002
【図２】
0005403302.tif 000003
【図３】
0005403302.tif 000004
【図４】
0005403302.tif 000005
【図５】
0005403302.tif 000006
【図６】
0005403302.tif 000007